(57)【特許請求の範囲】
【請求項１】
建築物の外壁にサッシを介して窓ガラスを取り付けた窓構造において、前記窓ガラスの室外側表面には少なくとも光触媒材料を含有している薄膜または親水性を呈する薄膜が形成され、前記サッシと窓ガラスとの間に設けられるシール部材またはガスケットのうち少なくとも窓ガラス下辺部の室外側表面とサッシとの間に設けられるシール部材またはガスケットの外側面は窓ガラス表面に対して４５°以下の角度で傾斜しており、前記外壁に設けられたサッシ取付け用開口部の上辺部外側端は外壁面に対して４５°以下の角度で内側に向かった傾斜面とされており、外壁面とサッシ外側面との間の間隔は３００ｍｍ以下、サッシ外側面と窓ガラス外側面との間隔は５０ｍｍ以下とされていることを特徴とする窓構造。
【請求項２】
請求項１に記載の窓構造において、前記窓ガラス下辺部の室外側表面とサッシとの間に設けられるシール材以外のシール材の表面と窓ガラスの表面の表面とのなす角は、９０°に近いことを特徴とする窓構造。
【請求項３】
請求項１に記載の窓構造において、前記窓ガラスは複層ガラスであり、前記ガスケットは断面が溝状をなすグレージングチャネルと断面が棒状をなすグレージングビードからなり、前記グレージングチャネルは複層ガラスの上縁部及び側縁部に適用され、前記グレージングビードは複層ガラスの下縁部に適用され、更に前記グレージングチャネルは軟質材料部と硬質材料部とからなり、
硬質材料部が窓ガラスの表面に押し当てられていることを特徴とする窓構造。
【発明の詳細な説明】
【０００１】
【発明の属する技術分野】
本発明はセルフクリーン効果を発揮するビルなどの窓構造に関する。
【０００２】
【従来の技術】
図５はビルなどの一般的な窓構造を示している。即ち、外壁１００から所定寸法だけセットバックした位置にサッシ１０１を固定し、このサッシ１０１のシール材１０２またはガスケットを介して窓ガラス１０３を嵌め付けている。
【０００３】
一方、チタニア等の光触媒の薄膜を窓ガラスの表面に形成することで、ガラス窓の表面に付着した汚れ（有機物）を光触媒作用で分解し、この分解した汚れを降雨の際に流し落とすようにしたセルフクリーンタイプの窓構造が知られている。
【０００４】
【発明が解決しようとする課題】
上述したセルフクリーン効果を効果的に発揮するには、窓ガラスに吹き付けられた雨滴が水膜となって窓ガラス表面を流れ落ちることが必要であり、雨滴がガラス表面に止まっていると、却って強固な汚れとなって残ってしまう。
特に、従来の窓構造にあっては窓ガラス表面を流れ落ちる水が、窓ガラスの下辺部即ちシール材またはガスケットの部分で停滞してしまい、この部分に汚れが残ってしまう。
【０００５】
【課題を解決するための手段】
上記課題を解決するため、本発明に係る窓構造は、窓ガラスの室外側表面には少なくとも光触媒材料を含有している薄膜または親水性を呈する薄膜が形成され、窓ガラスはその周縁部がシール部材またはガスケットを介してサッシに嵌めこまれ、更に窓ガラス下辺部の室外側表面とサッシとの間に設けられるシール部材またはガスケットの外側面を窓ガラス表面に対しての鋭角傾斜面とされ、外壁に設けられたサッシ取付け用開口部の上辺部外側端は外壁面に対して４５°以下の角度で内側に向かった傾斜面とされ、外壁面とサッシ外側面との間の間隔は３００ｍｍ以下とされ、サッシ外側面と窓ガラス外側面との間隔は５０ｍｍ以下とされた窓構造とした。少なくとも光触媒材料を含有している薄膜または親水性の薄膜としては、チタニア、シリカ、ジルコニア、セリアあるいは表面に細かな凹凸が形成された薄膜などが挙げられる。
このような形状にすることで外壁から窓ガラスの表面に向かって雨がスムーズに流れるので、特に窓ガラス上部のセルフクリーン効果を高めることができる。
【０００６】
上記ガスケットには窓ガラスの縁部を抱持するような断面溝形状をなすグレージングチャンネルと窓ガラス側面とサッシとの間に挿入されるグレージングビードがあるが、グレージングチャンネルの溝部に雨水や結露水が侵入すると除去が困難であるので、窓ガラスの下縁部に設けるガスケットには、グレージングビードの方が好ましい。
【０００７】
また、請求項２に係る発明は、前記窓ガラス下辺部の室外側表面とサッシとの間に設けられるシール材以外のシール材の表面と窓ガラスの表面の表面とのなす角は、９０°に近い構成とした。
更に請求項３に係る発明は、前記窓ガラスは複層ガラスであり、前記ガスケットは断面が溝状をなすグレージングチャネルと断面が棒状をなすグレージングビードからなり、前記グレージングチャネルは複層ガラスの上縁部及び側縁部に適用され、前記グレージングビードは複層ガラスの下縁部に適用され、更に前記グレージングチャネルは軟質材料部と硬質材料部とからなり、硬質材料部が窓ガラスの表面に押し当てられている構成とした。
【０００８】
また、外壁に設けられたサッシ取付け用開口部の上辺部外側端を内側に向かった傾斜面とすることで、窓ガラスの上縁部まで雨が当たり、セルフクリーン効果を高めることができる。
具体的な数値をもって示せば、前記傾斜面の角度は外壁面に対して４５°以下、外壁面とサッシ外側面との間の間隔は３００ｍｍ以下、サッシ外側面と窓ガラス外側面との間隔は５０ｍｍ以下とするのが好ましい。このような形状にすることで外壁から窓ガラスの表面に向かって雨がスムーズに流れるので、特に窓ガラス上部のセルフクリーン効果を高めることができる。
【０００９】
【発明の実施の形態】
以下に本発明の実施の形態を添付図面に基づいて説明する。図１は本発明に係る窓構造を適用した外壁の断面図、図２は同窓構造の断面図、図３は別実施例に係る窓構造の断面図である。
【００１０】
実施例はビルの窓構造を示し、外壁１には窓用開口部２が形成され、この開口部２の上辺部外側端を内側に向かった傾斜面３とし、更に外壁1から３００ｍｍ以下の引っ込んだ位置にアルミニウム製サッシ４を設け、このサッシ４にて窓ガラス５を取り付けている。この窓ガラス５の室外側表面にはチタニアなどの光触媒のコーティングが施されている。
【００１１】
外壁１に傾斜面３を形成することにより、窓ガラス５の上縁部まで雨が当たり、セルフクリーン作用が及ぶ範囲が広がる。前記傾斜面３の外壁1に対する角度θ1は４５°以下とすることが好ましい。
また、外壁面とサッシ外側面との間の間隔（ｂ）は３００ｍｍ以下、サッシ外側面と窓ガラス外側面との間隔（ｃ）は５０ｍｍ以下とするのが好ましい。
【００１２】
図２に示すように、前記サッシ４は断面コ字状をなし、下側のサッシ４内には窓ガラス５の下端を受けるセッティングブロック６を配置している。セッティングブロック６の材料は例えばネオプレンゴム（硬度８０〜９０°）とする。
【００１３】
また、サッシ４の内側面には発泡樹脂製のバックアップ材７が取り付けられ、このバックアップ材７を介してサッシ４と窓ガラス５との間にシリコーン系或いはポリサルファイド系のシール材８が設けられている。
【００１４】
前記シール材８のうち、窓ガラス５の下端外側面とサッシ４との間に設けられるシール材８ａについては他のシール材８と形状を異ならせている。即ち、他のシール材８の表面と窓ガラス５の表面とのなす角θ2は従来と同様に９０°に近いが、シール材表面８ｂと窓ガラス５の表面とのなす角θ3は４５°以下にしている。
このように、窓ガラス５の表面とのなす角θ3を小さくすることで、窓ガラス５の表面を伝って流れてきた水がシール材８ａの部分で滞ることなく、スムーズに流下する。その結果、汚れが溜まることがない。
【００１５】
図３は別実施例を示す図２と同様の断面図であり、この実施例は複層ガラスに適用している。
この複層ガラスは外側ガラス１１と内側ガラス１２の間にスペーサ１３を介在せしめて周囲をガスケット１４にて保持した状態でサッシ１５内にガスケット１４とともに挿入されている。そして外側ガラス１１の室外側表面にはチタニアなどの光触媒のコーティングが施されている。
【００１６】
前記スペーサ１３内には吸湿剤が収納され、前記サッシ１５のうち窓ガラスの下端を受けるサッシ１５内にはセッティングブロック１６を配置している。
【００１７】
一方、前記ガスケット１４は断面溝状をなすグレージングチャンネル１７と断面が棒状をなすグレージングビード１８からなり、グレージングチャンネル１７は複層ガラスの上縁部および側縁部に適用し、複層ガラスの下縁部についてはグレージングビード１８を適用している。尚、グレージングチャンネル１７については外側部と内側部とが一体的になっているが、グレージングビード１８については外側と内側とが別体になっている。
【００１８】
グレージングチャンネル１７は軟質材料部分１７ａと硬質材料部分１７ｂとからなり、軟質材料部分１７ａにて２枚のガラス板の周囲（上縁部と側縁部）を保持し、硬質材料部分１７ａの先端を窓ガラス１１、１２の表面に押し当ててシール機能を発揮している。グレージングチャンネル１７と窓ガラス１１表面とのなす角θ2は従来と同様に９０°に近い。
【００１９】
一方、外側のグレージングビード１８についてはその表面１８ａと外側窓ガラス１１の表面とのなす角θ3は４５°以下にしている。尚、図示例では内側のグレージングビード１８と外側のグレージングビード１８の形状を窓ガラスを挟んで対称形状にしているが内側のグレージングビード１８についてはその表面と内側窓ガラス１２の表面とのなす角を４５°以下にする必要はない。
【００２０】
図３に示した実施例にあっても前記同様、外側窓ガラス１１の表面を伝って流れてきた水はグレージングビード１８と窓ガラスとの境で滞ることなくスムーズに流れ、汚れが溜まらない。
【００２１】
図４はビル用のサッシに好適する窓構造の断面図であり、この実施例にあっては窓ガラス５の外側とサッシとの間にはガスケットとしてグレージングビード１８を設け、窓ガラス８の外側とサッシとの間はシール材８を設けている。
ビル用サッシでは組付作業性と高い水密性が要求されるため、外側をグレージングビード１８とすることで作業性を高め、内側をシール材８にすることで水密性を高めている。この実施例にあっても下側のグレージングビード１８の外側面と窓ガラス５との角度を４５°以下とすることで、窓ガラス５の表面を伝って流れてきた水がグレージングビード１８の部分で滞ることがないようにしている。
【００２２】
【発明の効果】
以上に説明したように、本発明によれば窓ガラスの下端外側面とサッシとの間に介在せしめるシール材またはガスケットの外側面を、ガラス表面に対して傾斜面としたので、窓ガラス表面を伝って流れる水が窓ガラスの下端部で滞ることがなくなる。その結果、光触媒膜や親水性膜によるセルフクリーン作用を効果的に発揮することができる。
【図面の簡単な説明】
【図１】本発明に係る窓構造を適用した外壁の断面図
【図２】同窓構造の断面図
【図３】別実施例に係る窓構造の断面図
【図４】別実施例に係る窓構造の断面図
【図５】従来の窓構造を説明した図
【符号の説明】
１…外壁、２…窓用開口部、３…傾斜面、４…サッシ、５…窓ガラス、６…セッティングブロック、７…バックアップ材、８，８ａ…シール材、８ｂ…シール材の外側面、１１…外側ガラス、１２…内側ガラス、１３…スペーサ、１４…ガスケット、１５…サッシ、１６…セッティングブロック、１７…グレージングチャンネル、１７ａ…軟質材料部分、１７ｂ…硬質材料部分、１８…グレージングビード、１８ａ…グレージングビードの表面。
【図１】
0003744849.tif 000002
【図２】
0003744849.tif 000003
【図３】
0003744849.tif 000004
【図４】
0003744849.tif 000005
【図５】
0003744849.tif 000006